(57)【特許請求の範囲】
【請求項１】
ロールペーパーを回動自在に保持するホルダー本体に対して、後部を支軸として開閉自在でロールペーパーを覆う押え板を備えるロールペーパーホルダーであって、該押え板の前端部の裏面にロールペーパーから引き出された紙を切断する紙切板が付設され、該紙切板の前端は、該押え板の前端より後側に位置するものであり、且つ該紙切板は、中心部位である芯部と、該芯部より柔らかい刃群及び該芯部を取り囲む芯部より柔らかい周縁部とからなり、刃群は、紙切板の前端部において長手方向に沿って所定のピッチで多数形成され、各々の刃は、刃の先端の正面視形状が２つの角部を有する角形状であり、側面視形状が角形状であり、刃のロールペーパー側が面であることを特徴とするロールペーパーホルダー。
【請求項２】
該刃群は、前方下端が角部である所定厚みの中尺状板材の前部に、下面と前面が開口する非貫通溝又は上下面と前面が開口する上下貫通溝を所定ピッチで多数列設することで形成されたものであることを特徴とする請求項１記載のロールペーパーホルダー。
【請求項３】
該刃幅が１．０〜２．０ｍｍ、該刃群における刃のピッチが２．０〜４．０ｍｍであることを特徴とする請求項１又は２記載のロールペーパーホルダー。
【請求項４】
該刃の先端の正面視形状が、矩形状又は台形状であることを特徴とする請求項１〜３のいずれか１項に記載のロールペーパーホルダー。
【請求項５】
該刃の側面視形状の角形状が、直角であることを特徴とする請求項１〜４のいずれか１項に記載のロールペーパーホルダー。
【発明の詳細な説明】
【技術分野】
【０００１】
本発明は、トイレットペーパーのようなロールペーパーを切断する紙切板及びこれを備えるロールペーパーホルダーに関するものである。
【背景技術】
【０００２】
トイレットペーパーのようなロールペーパーを回動自在に支持するロールペーパーホルダーは、ロールペーパーを切断するための押え板が、ロールペーパーを覆うように、ホルダー本体部に回動自在に設置されている。
【０００３】
近年、ロールペーパーを切断するための押え板に切断刃を形成したものが種々提案されている。特開２００４−８１６３０号公報には、ロールペーパーから引き出された紙を切断するために、紙切板の前端縁に沿って多数列設される刃が、樹脂で形成され、それぞれの刃は、正面から見て、水平面を成す上面の左右両端から下方の前記紙側に向かって傾斜し、下端が紙に刺さり込む鋭利な突起を形成している紙切板が開示されている。この紙切板によれば、紙を切断する際、最初に鋭利な突起が紙に刺さり込んで、切り始めのきっかけを作ることができ、紙が滑ることなく良好に切断することができる。
【０００４】
また、特開２００５−４０２１６号公報には、紙切り板の前辺に削設した溝内に、この溝に対応した形状の帯状刃板の後辺を挿入し、この刃板の櫛歯状弾性刃先を前記紙切り板前辺から露出定位した状態で、紙切り板前辺に対する前記帯状刃板の抜け止めを施したロール紙ホルダにおける紙切り板が開示されている。この紙切り板によれば、ロール紙の切れ味を損なうことなく、カット部分を連続して確実軽快にカットできるし、指先を傷つけることがない。
【０００５】
特開２００４−８１６３０号公報及び特開２００５−４０２１６号公報の紙切刃は、いずれも、押え板の前端から前方へ突出する、所謂出っ歯型であり、意匠性や高級感を損なう。また、弾性刃先であるため、指先を傷つけることがないとしても、指先に当たることで使用者に不快感を与えるものであった。そこで、出っ歯型ではない紙切歯の開発が望まれていた。
【０００６】
これを解決するものとして、特開２００９−２６１６４９号公報のロールペーパーホルダーが知られている。このロールペーパーホルダーは、押え板の前端部の裏面に、ロールペーパーと接する断面が逆三角形状の切断刃突起を幅方向に所定のピッチで多数形成したものである。この紙切刃は、押え板の裏面に付設されているため、出っ歯型ではなく、引っ込み歯型であり、また、使用者の指先に当たる確率も低く、都合がよい。
【先行技術文献】
【特許文献】
【０００７】
【特許文献１】特開２００４−８１６３０号公報
【特許文献２】特開２００５−４０２１６号公報
【特許文献３】特開２００９−２６１６４９号公報
【発明の概要】
【発明が解決しようとする課題】
【０００８】
しかしながら、特開２００９−２６１６４９号公報の紙切刃は、引っ込み歯型であり、手や指が直接接触する機会は減るものの、断面が逆三角形状の切断刃突起がロールペーパーに当たるため、ロールペーパーを引き出す際、ロールペーパーが部分的に破れてしまい、使用に不便を来すという問題があった。
【０００９】
従って、本発明の目的は、引っ込み歯型において、ロールペーパーを引っ張りだす際、破くことなく円滑に引き出せ、且つ切れ味に優れる紙切板及びこれを備えるロールペーパーホルダーを提供することにある。
【課題を解決するための手段】
【００１０】
かかる実情において、本発明者は鋭意検討を行った結果、紙切板の刃形状を、ロールペーパー側が面となる特定形状とすれば、ロールペーパーを破くことなく、円滑に引き出せ、且つ切れ味に優れることを見出し、本発明を完成するに至った。
【００１１】
すなわち、本発明は、ロールペーパーから引き出された紙を切断する紙切板であって、該紙切板の前端部において長手方向に沿って所定のピッチで多数形成した樹脂製の刃群を備え、各々の刃は、刃の先端の正面視形状が２つの角部を有する角形状であり、側面視形状が角形状であり、刃のロールペーパー側が面であることを特徴とする紙切板を提供するものである。
【００１２】
また、本発明は、ロールペーパーを回動自在に保持するホルダー本体に対して、後部を支軸として開閉自在でロールペーパーを覆う押え板を備えるロールペーパーホルダーであって、該押え板の前端部の裏面に、前記紙切板が付設されたものであることを特徴とするロールペーパーホルダーを提供するものである。
【発明の効果】
【００１３】
本発明によれば、ロールペーパーを引き出す際、刃のロールペーパー側が面形状であるため、破くことなく円滑に引き出すことができる。また、切断の際、ロールペーパーを上方に引き出す角度が小さい（水平に近い）ため、お年寄りにとっても楽に切断できる。また、弾性刃でありながら、刃のエッジ効果により、切れ味が優れる。また、紙切刃は押し板の裏面に付設されるものであり、使用者からは見えないか、見難く、高級感を付与できる。
【図面の簡単な説明】
【００１４】
【図１】本発明の実施の形態における紙切板の斜視図である。
【図２】（Ａ）は図１の紙切板の側面図であり、（Ｂ）は長手方向の中央で切断した断面図である。
【図３】図１の紙切板の部分拡大正面図である。
【図４】図１の紙切板の部分拡大底面図である。
【図５】他の実施の形態における紙切板の部分拡大正面図である。
【図６】（Ａ）及び（Ｂ）共に、他の実施の形態における紙切板の先端部分の拡大断面図である。
【図７】（Ａ）は他の実施の形態における紙切板の部分拡大正面図であり、（Ｂ）は他の実施の形態における紙切板の部分拡大底面図である。
【図８】本発明の実施の形態におけるロールペーパーホルダーの簡略図である。
【図９】図８のロールペーパーホルダーの部分拡大図である。
【図１０】図８のロールペーパーホルダーの断面図である。
【図１１】図１０のロールペーパーホルダーの部分拡大断面図である。
【図１２】（Ａ）〜（Ｄ）は、それぞれ他の実施の形態のロールペーパーホルダーの部分拡大簡略図である。
【図１３】本発明の他の実施の形態における紙切板の斜視図である。
【発明を実施するための形態】
【００１５】
本発明の実施の形態における紙切板を図１〜図４を参照して説明する。本明細書中、「正面」、「前」及び「後」は使用者側から見た方向を言う。図１は紙切板を下から斜め上方に向けて見た斜視図であり、符号Ｘが前方側、Ｙが後方側であり、下方がロールペーパー側である。紙切板１０は、ロールペーパーから引き出された紙を切断するものであって、紙切板１０の前端部において長手方向に沿って所定のピッチで多数形成した樹脂製の刃群１を備え、各々の刃１ａ、１ｂ、１ｃ・・は、刃の先端の正面視形状が２つの角部（エッジ）１４ａ、１４ｂを有する角形状であり、側面視形状が角形状１４ｃであり、刃のロールペーパー側が面１４ｆ、本例では平面である（図２（Ａ）及び（Ｂ）参照）。刃群１は、刃１ａ、１ｂ、１ｃ・・からなり、各刃は同形状、同ピッチである。各々の刃１ａ、１ｂ、１ｃ・・は、以後、単に「刃１ａ」とも言う。図３には、芯材３ａの下端が水平線として表われているが、刃１ａの下端は符号１１で引かれる線である。
【００１６】
刃１ａの先端の正面視形状は、２つの垂直線１２、１３とその先端を水平線１１が結ぶことで形成される形状であるため、２つの角部１４ａ、１４ｂ（内角α１）は略直角又は直角である。図４に示すように、刃１ａの先端の底面視形状は、２つの並行直線１６、１７とその先端を水平線１１が結ぶことで形成される形状であるため、２つの角部１４ｄ、１４ｅ（内角）は略直角又は直角である（図３）。また、刃１ａの側面視形状の角形状１４ｃは、本例では略直角又は直角である（図２（Ｂ））。
【００１７】
すなわち、刃群１は、前方下端が角部である所定厚みの中尺状板材の前端に、下面１５２と前面１５１が開口する非貫通溝を多数列設することで形成されたものである。なお、本発明の刃群１は、この非貫通溝から形成されたものに限定されず、上下面及び前面が開口する上下貫通溝から形成されるものであってもよい。上下貫通溝により形成される刃群は、非貫通溝により形成される刃群に比べて強度が若干低下するものの、本発明で得られる効果は同じである。なお、上下非貫通溝の場合、刃群１の上面は左右方向に連続した天板面になるため、押し板２１ａへの接着強度及び接着安定性が高まる点で、好ましい。図１中、符号２４は、取付側（押し板２１ａの裏面側）となる上面であり、符号２５は、ロールペーパー側となる面（裏面）である。
【００１８】
刃１ａの幅（ｗ１）は、１．０〜２．０ｍｍ、好ましくは１．２〜１．７ｍｍ、特に好ましくは１．４〜１．６ｍｍであり、２つの刃１ａ、１ｂ間に存在する溝の幅（ｗ２）は、１．０〜２．０ｍｍ、好ましくは１．２〜１．７ｍｍ、特に好ましくは１．４〜１．６ｍｍである。刃１ａの高さ（ｈ）及び奥行き長さ（ｌ）は、好ましくは、１．４〜３．６ｍｍであり、刃群１における刃のピッチは、２．０〜４．０ｍｍ、好ましくは２．４〜３．４ｍｍ、特に好ましくは２．８〜３．２ｍｍである。刃１ａの幅（ｗ１）や溝の幅（ｗ２）が大き過ぎると、刃ピッチが大となり、ペーパー面の切断面が粗く、粗雑な切れ端となる一方、小さ過ぎると、切断時、ペーパーの引っ掛かりが悪くなる。また、刃１ａのロールペーパー側の面１４ｆは、本例では、矩形状の平面であり、刃群１のロールペーパー側の面は、間欠的に凹部（矩形溝）が存在するものの、多数の面１４ｆは面一となっている。これにより、ロールペーパーＡは、破れることなく、円滑に引き出される。刃１ａのロールペーパー側の面１４ｆは、平面に限定されず、僅かな凹の面であってもよい。凹の面であってもエッジ効果は奏する。
【００１９】
刃１ａ及び刃群１は、樹脂製の弾性刃である。これにより、刃１ａのエッジに指や手が触れても怪我することはない。弾性を示す樹脂としては、ショア硬度８０〜９０のものが好適である。このような樹脂としては、シリコーン樹脂、ポリウレタン樹脂、塩化ビニル樹脂、エチレン酢酸ビニル共重合体、ＥＥＡ樹脂、熱可塑性ポリウレタンエラストマー、熱可塑性エラストマーが挙げられる。
【００２０】
また、紙切板１０は、全体が樹脂製であることが好ましく、本例では、硬さの異なる２種類の樹脂からなり、刃群１は柔らかい樹脂である。すなわち、本例の紙切板１０は、中心部位である芯部３ａと、芯部３ａ以外の部位３ｂとからなる。芯部３ａ以外の部位３ｂは、刃群部位２１及び芯部３ａを取り囲む周縁部２２とからなり、芯部３ａより柔らかい樹脂を用いる。なお、本例においては、刃群部位２１及び芯部３ａを取り囲む周縁部２２は、同一の柔らかい樹脂製の一体物である。通常、ロールペーパーホルダー２０の押し板２１ａの幅寸法は、ロールペーパーＡを完全に覆う必要から、ロールペーパーＡの幅寸法より大である。一方、紙切板１０の刃群１の幅寸法（長手方向の寸法）は、ロールペーパーＡの幅寸法と同じかやや大であればよい。従って、紙切板１０は刃群１を形成するため、ある程度の厚みを必要とする一方、ロールペーパーＡの幅寸法と同じかやや大であればよい。紙切板１０において、芯部３ａに使用される樹脂としては、刃群１で使用される柔らかい樹脂より硬度の高いものであり、例えばナイロン、ＡＢＳ樹脂が挙げられる。
【００２１】
硬さの異なる２種類の樹脂から紙切板１０を作製する方法としては、硬さの異なる２種類の樹脂を別々に作製し、両者を接着剤により接着する方法、金型成型の際、硬さの異なる２種類の樹脂を使用して、二重成型を行い２つの樹脂を一体化させる方法などが挙げられる。
【００２２】
このような紙切板１０であれば、刃群１を柔らかい樹脂で作製しているため、刃１ａのエッジに指や手が触れても怪我することはない。また、紙切板１０は、芯材（硬い樹脂）で補強された芯部３ａを有しており、押し板２１ａへの接着が安定する。また、図２に示すように、芯部３ａの下端は、刃１ａの下面１４ｆよりやや下方に位置している。これにより、芯部３ａの下端面がロールペーパーＡと当接することになり、ロールペーパーＡの引き出しが円滑となる。なお、芯部３ａの下端面の位置は上記の形態に限定されず、芯部３ａの下端が、刃１ａの下面１４ｆと同じ又はそれよりやや上方に位置していてもよい。この場合であっても、ロールペーパーＡと接触するのは、刃１ａの下面（平面）１４ｆであり、ロールペーパーＡを水平方向に引き出す際、破く等の不都合はない。紙切板１０によれば、ロールペーパーＡをカットする刃１ａが、直角断面の刃先１４ｃであるため、刃のエッジ効果により、優れた切れ味を奏する。なお、紙切板１０の下端面の形状及び芯部３ａの下端面の形状は、図２に示すような下側にやや凸となる面形状に限定されず、平面形状であってもよい。
【００２３】
紙切板１０において、刃の先端の正面視形状（前面の開口の形状）は、図３のような矩形状に限定されず、図５に示すような、台形状であってもよい。すなわち、図５において、下方に向けて末広がり状に傾斜する２つの縦傾斜線１２ａ、１３ａの先端を水平線１１が結ぶことで形成される形状が台形状であり、その下方両側の２つの角部（内角α２）は鋭角である。このような刃形状であっても、図３に示す刃１ａと同様に、エッジを有し優れた切れ味を示す。
【００２４】
また、２つの刃間に形成される溝１５の奥の角部（側面視で右上）の形状としては、図２に示す直角形状（図６（Ａ））の他、凹面（図６（Ｂ））及び不定形状であってもよい。このような溝１５の奥の角部の形状は、ロールペーパーの切断には関与しない部分であり、適宜決定されるものである。また、２つの刃間に形成される溝１５の正面視で上面の形状としては、図３や図５に示す平面の他、円形状（図７（Ａ））や不定形状であってもよい。また、溝１５は上下方向に貫通する溝であってもよい。また、２つの刃間に形成される溝１５の背面形状１８ｂとしては、図４に示す平面の他、円形状（図７（Ｂ））や不定形状であってもよい。このような溝１５の奥の形状は、ロールペーパーの切断には関与しない部分であり、適宜決定されるものである。
【００２５】
紙切板１０は、上記のように、硬さが異なる２種の樹脂から形成されるものに限定されず、１種の樹脂からなるものであってもよい。この場合、樹脂としては、上記の硬い樹脂、上記の柔らかい樹脂のいずれであってもよい。紙切板１０は、押し板２１ａの裏面に付設されるものであり、硬い樹脂であっても手や指に触れる確率は小さく、例え触れたとしても、金属と異なり、怪我するまでには至らない。
【００２６】
紙切板１０の形状は、図２に示すような上方にやや凸状に湾曲した形状に限定されず、刃群１が形成されていれば、例えば板状あるいは不定形状等であってもよい。紙切板１０の形状が、側面視で上方にやや凸状に湾曲した形状であるものは、押し板２１ａの形状が、同様の側面視で上方にやや凸状に湾曲した形状のロールペーパーホルダーに適する。紙切板１０の形状が、側面視で矩形状であるものは、押し板２１ａの裏面が、平面形状であるロールペーパーホルダーに適する。すなわち、紙切板１０の側面視形状が矩形状のものは、紙切板１０のロールペーパー側の面が、平面であるものが好ましい。
【００２７】
本発明の実施の形態におけるロールペーパーホルダーを図８〜図１１を参照して説明する。本例のロールペーパーホルダー２０は、ロールペーパーＡを回動自在に保持するホルダー本体２２ａに対して、後部を支軸２３ａとして開閉自在でロールペーパーＡを覆う押え板２１ａを備えるものであって、押え板２１ａの前端部２４ａの裏面２１１に、前記紙切板１０を付設したものである。図１１に示すように、紙切板１０の刃１ａの前端１８は、押え板２１ａの前端２１２からやや後側に位置する。これにより、使用者の手や指が刃群１に触れる可能性が少なくなり、また、紙切板１０は、使用者からは見えないか、見難く、ロールペーパーホルダー２０の意匠性を阻害することがない。なお、紙切板１０の刃１ａの前端１８は、押え板２１ａの前端２１２と、前後方向における位置において、同一（面一）であってもよい。
【００２８】
押え板２１ａの前端部２４ａの裏面に、紙切板１０を付設する方法としては、例えば両面テープで貼付する方法、接着剤で接着する方法及び押え板２１ａと紙切板１０の一体成型で一体化する方法などが挙げられる。
【００２９】
次に、ロールペーパーホルダー２０において、紙切板１０によるロールペーパーＡの切断作用について説明する。先ず、ロールペーパーＡが引き出される。ロールペーパーホルダー２０において、紙切板１０の芯部３ａがロールペーパーＡに当たっているため、ロールペーパーＡを引き出す際、破くことがない。また、ロールペーパーＡを前方でやや上方側に向けて引き出したとしても、刃１ａのロールペーパーＡ側が面（平面）１４ｆであるため、破くことがない。
【００３０】
引き出されたロールペーパーＡは、切断位置において、少し上側に引っ張られる。この際、ロールペーパーＡと紙切板１０の刃１ａの角部（エッジ）１４ａ（１４ｂ）が当たる。この状態において、ロールペーパーＡは切断方向（横方向）に引っ張られるため、最初のエッジで切断され、順次、遭遇する刃のエッジ１４ａ（１４ｂ）により、次々と破断する。刃１ａは正面視で矩形状であり、先端が正面視で尖り状ではないものの、側面先端の角部１４ａ（１４ｂ）がエッジで且つ直角刃となっているため、弾性刃でありながら、横方向に引っ張るだけで、ロールペーパーＡは容易に切断される。
【００３１】
従来、出っ歯型の切断刃の場合、図１０に示す切断時の引き出す角度γのように、切断刃が出っ歯に当たるまで、ペーパーを高く上げる必要があった。これに対して、本発明は、引っ込み歯型の切断刃であるため、図１０に示す切断時の引き出す角度βのように、小さくてよく、使い勝手がよい。また、従来の引っ込み歯型の切断刃で、断面が逆三角形状の刃の場合、切断方向は上方且つ横方向に向けて行なう必要があった。これに対して、本発明の場合、切断方向は実質的に横方向のみでよく、使い勝手がよいものである。
【００３２】
本発明において、ロールペーパーホルダー２０の押し板２１ａは、前方部分が、下にやや屈曲した湾曲形状のものであるが、これに限定されず、屈曲のない１枚の平板状のもの、あるいは２枚以上の平板が連続する多角断面形状のものなどが使用できる。図１２（Ａ）のロールペーパーホルダー２０Ａは、押し板２１ａが屈曲した湾曲形状であり、紙切板１０Ａが１種の樹脂製で下面が下方にやや凸の形状のものである。また、図１２（Ｂ）のロールペーパーホルダー２０Ｂは、押し板２１ａが屈曲した湾曲形状であり、紙切板１０Ｂが１種の樹脂製で下面が平面の形状のものである。また、図１２（Ｃ）のロールペーパーホルダー２０Ｃは、押し板２１ｂが平板状であり、紙切板１０Ｃが１種の樹脂製で厚みが奥側に向けて薄肉となるものである。また、図１２（Ｄ）のロールペーパーホルダー２０Ｄは、押し板２１ｂが平板状であり、紙切板１０Ｄが１種の樹脂製で矩形断面形状のものである。このようなロールペーパーホルダー２０Ａ〜２０Ｄにおいても、ロールペーパーホルダー２０と同様の効果を奏する。
【００３３】
本発明において、紙切板１０の変形例としては、図１３の紙切板１０Ｅが挙げられる。すなわち、本例の紙切板１０Ｅは、刃群１が形成される肉厚部１Ａと肉厚部１Ａの両側に形成される薄肉部１Ｂとからなる。肉厚部１Ａは、紙切板１０と同様である。また、薄肉部１Ｂは、肉厚部１Ａの芯部３ａ以外の部位３ｂと一体化されており、同一の柔らかい樹脂製である。薄肉部１Ｂは、ロールペーパーＡが取り出される際、金属製の押し板２１ａと左右一対のロールペーパー支持部材とが直接接触するのを避け、両者の間に介在することで、不快な異音の発生を防止する。このような紙切板１０Ｅにおいても、紙切板１０と同様の効果を奏する。
【産業上の利用可能性】
【００３４】
本発明によれば、ロールペーパーを引っ張りだす際、破くことなく円滑に引き出すことができる。また、ロールペーパーの切断角度が低く、且つ切断方向は横方向であるため、切断が楽である。また、弾性刃でありながら、刃のエッジ効果により、切れ味が優れる。また、紙切刃は押し板の裏面に付設されるものであり、使用者からは見えないか、見難く、高級感を付与できる。
【符号の説明】
【００３５】
１      刃群
１ａ、１ｂ、１ｃ・・・    刃
３ａ    芯部（硬い樹脂）
３ｂ    芯部以外の部位（柔らかい樹脂）
１０、１０Ａ〜１０Ｅ    紙切板
１１    刃の下端
１４ａ、１４ｂ、１４ｄ、１４ｅ    刃の角部（エッジ）
１４ｃ  角形状
１４ｆ  刃の下面
１５    溝
２０、２０Ａ〜２０Ｄ    ロールペーパーホルダー
２１ａ、２１ｂ  押し板
【図１】
0005971745.tif 000002
【図２】
0005971745.tif 000003
【図３】
0005971745.tif 000004
【図４】
0005971745.tif 000005
【図５】
0005971745.tif 000006
【図６】
0005971745.tif 000007
【図７】
0005971745.tif 000008
【図８】
0005971745.tif 000009
【図９】
0005971745.tif 000010
【図１０】
0005971745.tif 000011
【図１１】
0005971745.tif 000012
【図１２】
0005971745.tif 000013
【図１３】
0005971745.tif 000014